(57)【要約】【課題】  あん掛け食品の「あん」を被あん掛け食材とは別個に保存しておくことができると共に、食べる際にこの「あん」をこぼさないように簡単に被あん掛け食材の上に掛けることができる食品用使い捨て容器を提供する。【解決手段】  流動状の食品を収納し上に閉止部材６ｂを有する第１容器６と、第１容器６を収納する第１収納部８ａ、及び流動状の食品を上に掛けて食する別の食材を収納する第２収納部８ｂが設けられた第２容器８とを備えた。【効果】  あん掛け食品の「あん」を被あん掛け食材とは別個に保存しておくことができると共に、食べる際にこの「あん」をこぼさないように簡単に被あん掛け食材の上に掛けることができる。【選択図】      図３
0003114931.tif 000002
【実用新案登録請求の範囲】
【請求項１】
流動状の食品を収納し上に閉止部材を有する第１容器と、
前記第１容器を収納する第１収納部、及び前記流動状の食品を上に掛けて食する別の食材を収納する第２収納部が設けられた第２容器と
を備えたことを特徴とする食品用使い捨て容器。
【考案の詳細な説明】
【技術分野】
【０００１】
本考案は、あん掛け食品の「あん」やカレーのような流動状の食品を、ご飯や麺等の、上記流動状の食品を上に掛けて食する別の食材が収納される位置とは別の位置に収納することができる食品用使い捨て容器に関するものである。
【背景技術】
【０００２】
従来において、例えばカレー掛けごはん、中華丼、ふかひれ掛けごはん、あん掛け焼きそば、中華掛けごはん、牛丼、親子丼、鉄火丼及びカツ丼等のような、具を含むと共にある程度の粘性を有する流動状の、いわゆる「あん」をご飯や麺等の上に掛けて食するあん掛け食品の販売等のために、このようなあん掛け食品を収納することができる、弁当に用いられるような食品用使い捨て容器があった。
【０００３】
いわゆるあん掛け食品は、上記「あん」をご飯や麺等の被あん掛け食材の上に掛けた状態で保存しておくと、ご飯や麺等の被あん掛け食材が「あん」の水分を吸取ってふやけてしまうこと等により、本来の風味が損なわれてしまう。このため、前記従来の食品用使い捨て容器としては、例えば「あん」をポリエチレン製のパックに封入しておき、食べる直前にご飯や麺等の被あん掛け食材に掛けるようになっているものがあった。
【考案の開示】
【考案が解決しようとする課題】
【０００４】
しかしながら、上記のような「あん」が封入されたパックは、このパックを開封したり、中身の「あん」を被あん掛け食材に掛けたりする際に、うまく開封できなかったり、「あん」をこぼしてしまったりするおそれがあるという問題があった。
【０００５】
そこで本考案は、上記問題点に鑑みて、あん掛け食品の「あん」を被あん掛け食材とは別個に保存しておくことができると共に、食べる際にこの「あん」をこぼさないように簡単に被あん掛け食材の上に掛けることができる食品用使い捨て容器を提供することを課題とするものである。
【課題を解決するための手段】
【０００６】
上記課題を解決するために、本考案による食品用使い捨て容器は、
流動状の食品を収納し上に閉止部材を有する第１容器と、
前記第１容器を収納する第１収納部、及び前記流動状の食品を上に掛けて食する別の食材を収納する第２収納部が設けられた第２容器とを備えたことを特徴とするものである。
【考案の効果】
【０００７】
このような本考案の食品用使い捨て容器によれば、あん掛け食品の「あん」を被あん掛け食材とは別個に保存しておくことができると共に、食べる際にこの「あん」をこぼさないように簡単に被あん掛け食材の上に掛けることができる。
【考案を実施するための最良の形態】
【０００８】
以下、本考案に係る食品用使い捨て容器の実施の形態について、図面に基づいて具体的に説明する。
図１ないし図３は、本考案の一実施の形態に係る食品用使い捨て容器２について説明するために参照する図である。
【０００９】
本実施の形態に係る食品用使い捨て容器２は、図１ないし図３に示すように、外箱４、第１容器６、及び第２容器８を備えて構成されている。外箱４は、厚紙で形成されており、高さ方向の上端側に開口部４ａを有している。この外箱４の開口部４ａは、２つの羽根部４ｂ及び蓋４ｃのそれぞれを内側に折り曲げて塞ぐことができるようになっている。そして、外箱４はその内部の空間に、第１容器６と第２容器８を収納するようになっている。
【００１０】
また、第１容器６は、図２及び図３に示すように、合成樹脂製の深皿部材６ａ及び蓋６ｂ（閉止部材に相当）により構成されている。蓋６ｂは透明であるため、この蓋６ｂを深皿部材６ａに係合させることにより、この深皿部材６ａの開口部を閉止した状態でも、深皿部材６ａ内に入る「あん」（不図示）を見ることができるようになっている。
【００１１】
第２容器８は、図２及び図３に示すように、第１容器６を収納する第１収納部８ａを有している。また、第２容器８は、図１及び図３に示すように、被あん掛け食材（不図示）を収納する第２収納部８ｂを有していると共に、薬味や惣菜（不図示）を収納するための第３収納部８ｃ及び第４収納部８ｄ、並びにフォーク、スプーン、箸又は楊枝等（不図示）を収納するための第５収納部８ｅを有している。
【００１２】
この第２容器８は、合成樹脂製であって、図１及び図３に示すように、第１収納部８ａ、第２収納部８ｂ、第３収納部８ｃ、第４収納部８ｄ及び第５収納部８ｅが平面方向に並んで配置されるように一体的に形成されている。
【００１３】
また、この第２容器８の第２収納部８ｂは、図３に示すように、一定の深さを有すると共に、少なくとも第１容器６の容積よりも大きい容積を有するように形成されているため、第２収納部８ｂ内の被あん掛け食材（不図示）に、第１容器６内の「あん」（不図示）を掛けても、この「あん」が第２収納部８ｂから溢れないようになっている。
【００１４】
このような本実施の形態に係る食品用使い捨て容器２によれば、あん掛け食品の「あん」を、第２容器８の第２収納部８ｂに収納される被あん掛け食材とは別個に、第１容器６内に保存しておくことができると共に、食べる際には第１容器６を第２容器８の第１収納部８ａから取出して蓋６ｂを開け、「あん」をこぼさないように簡単に第２収納部８ｂ内の被あん掛け食材に掛けることができる。
【００１５】
なお、本実施の形態において第１容器６は、蓋６ｂが深皿部材６ａの開口部を閉止するようになっていたが、蓋６ｂの代わりに合成樹脂製のフィルム等（閉止部材に相当）を深皿部材６ａの開口部の縁全体に貼り付けて閉止するようになっていてもよい。
【００１６】
また、本実施の形態に係る食品用使い捨て容器２の第２容器８は、図１及び図３に示すように、その第２収納部８ｂ、第３収納部８ｃ及び第４収納部８ｄが、同一の高さで開口するように一体的に形成されているので、この第２収納部８ｂ、第３収納部８ｃ及び第４収納部８ｄのそれぞれの開口部を一緒に閉止するようなフィルムが、第２容器８に貼り付けられるようになっていてもよい。
【００１７】
また、本実施の形態に係る食品用使い捨て容器２は、外箱４を備えるようになっていたが、この外箱４を備えないようになっていてもよい。また、この外箱４を備える代わりに包装紙等によって、第１容器６が第２容器８に収納された状態で、この第１容器６と第２容器８の全体を包装するようになっていてもよい。
【００１８】
また、本実施の形態に係る食品用使い捨て容器２の第２容器８は、その第１収納部８ａに第１容器６が収納されるようになっていたが、第１容器６を用いないような場合には、第１収納部８ａに唐揚げや肉のような惣菜等を直接収納するようになっていてもよい。
【図面の簡単な説明】
【００１９】
【図１】本考案の一実施の形態に係る食品用使い捨て容器２を示す平面図である。
【図２】図１に示す食品用使い捨て容器２のＡ−Ａ線矢視の側面断面図である。
【図３】図１に示す食品用使い捨て容器２のＢ−Ｂ線矢視の正面断面図である。
【符号の説明】
【００２０】
２  食品用使い捨て容器
４  外箱
４ａ  開口部
４ｂ  羽根部
４ｃ  蓋
６  第１容器
６ａ  深皿部材
６ｂ  蓋
８  第２容器
８ａ  第１収納部
８ｂ  第２収納部
８ｃ  第３収納部
８ｄ  第４収納部
８ｅ  第５収納部
【図１】
0003114931.tif 000003
【図２】
0003114931.tif 000004
【図３】
0003114931.tif 000005